(57)【要約】      （修正有）【課題】異なる厚さの冷却ファンを取り付け可能で使用上の便利性を増した冷却ファン用固定フレームの提供。【解決手段】固定フレーム２が直接冷却ファン１の入風側面１１或いは出風側面１２のいずれかの外側に隣接するよう固定され、且つ固定フレーム２が開放式の構造設計とされ、一側に前向きに延伸されて冷却ファン１の環側面１３外部を被覆可能な側板２２が設けられている。【選択図】図２
2005299630.tif 000002
【特許請求の範囲】
【請求項１】
冷却ファンと固定フレームを具え、
該冷却ファンは、入風側面と、該入風側面と反対側に位置し並びに入風側面との間が環側面で連結された出風側面とを具え、且つ該入風側面と該出風側面のいずれか一方に複数の固定構造が設けられ、
該固定フレームは、複数の固定手段が設けられ、且つ該固定フレームは該入風側面と出風側面のいずれかの外側に対応し隣接し、並びに複数の固定手段を以て冷却ファンの固定構造に対応し固定され、該固定フレームの一側より前向きに側板が延伸され、該側板が冷却ファンの環側面の外部に対応しそれを被覆することを特徴とする冷却ファン用固定フレーム。
【請求項２】
請求項１記載の冷却ファン用固定フレームにおいて、固定フレームの側板に少なくとも一つの貫通孔が開設され、冷却ファンが該貫通孔を通る電源線を具えたことを特徴とする、冷却ファン用固定フレーム。
【請求項３】
請求項１記載の冷却ファン用固定フレームにおいて、固定フレームの二側に突出するスライドレールが設けられたことを特徴とする、冷却ファン用固定フレーム。
【請求項４】
請求項１記載の冷却ファン用固定フレームにおいて、固定フレームの側板に上向きに突出する上ハンドルが設けられたことを特徴とする、冷却ファン用固定フレーム。
【請求項５】
請求項１記載の冷却ファン用固定フレームにおいて、冷却ファンの固定構造がネジ孔とされ、固定フレームの固定手段が穿孔とされ、複数のネジが穿孔を通過して対応するネジ孔に螺合されたことを特徴とする、冷却ファン用固定フレーム。
【発明の詳細な説明】
【技術分野】
【０００１】
本発明は一種の冷却ファン用固定フレームに係り、特に、コンピュータ装置内の冷却ファンに適用される固定フレームに関する。
【背景技術】
【０００２】
一般にコンピュータ装置内には、多くの異なる発熱電子部品が設けられるためコンピュータ装置内部に高熱が発生し、それを有効に排除しなければコンピュータ装置に故障が発生しやすくなる。このため伝統的な方法としてはコンピュータ装置内部の構造、或いは発熱部品に直接冷却ファンが取付られ、熱をコンピュータ装置外部に排出する。
【０００３】
上述の冷却ファンは通常固定フレームに組付けられ、且つ固定フレームが更にコンピュータ装置内部のブラケットに組付けられるか、或いは直接発熱電子部品に取り付けられる。図１は周知の冷却ファンと固定フレームの立体図であり、伝統的な固定フレーム９１に冷却ファン９２が組付けられた状態を示す。この固定フレーム９１はＵ字形を呈し、少なくとも三つの側面を有している。且つこの三つの側面９１１に囲まれて収容エリア９１２が形成され、冷却ファン９２はこの収容エリア９１２内に組付けられる。
【０００４】
一般の冷却ファン９２は異なる厚さを有し、冷却ファン９２の厚さが薄く、且つ収容エリア９１２の深さがそれより深い時、冷却ファン９２の収容エリア９１２内への組付けが難しくなり、即ち固定フレーム９１はその厚さが異なる厚さの冷却ファン９２に適合するようにそれぞれ製造されなければならない。ゆえに周知の冷却ファン用固定フレームの構造は理想的でない。
【発明の開示】
【発明が解決しようとする課題】
【０００５】
本発明の主要な目的は、一種の冷却ファン用固定フレームを提供することにあり、それは、異なる厚さの冷却ファンを取り付けることができ、使用上の便利性が増されたものとする。
【課題を解決するための手段】
【０００６】
請求項１の発明は、冷却ファンと固定フレームを具え、
該冷却ファンは、入風側面と、該入風側面と反対側に位置し並びに入風側面との間が環側面で連結された出風側面とを具え、且つ該入風側面と該出風側面のいずれか一方に複数の固定構造が設けられ、
該固定フレームは、複数の固定手段が設けられ、且つ該固定フレームは該入風側面と出風側面のいずれかの外側に対応し隣接し、並びに複数の固定手段を以て冷却ファンの固定構造に対応し固定され、該固定フレームの一側より前向きに側板が延伸され、該側板が冷却ファンの環側面の外部に対応しそれを被覆することを特徴とする冷却ファン用固定フレームとしている。
請求項２の発明は、請求項１記載の冷却ファン用固定フレームにおいて、固定フレームの側板に少なくとも一つの貫通孔が開設され、冷却ファンが該貫通孔を通る電源線を具えたことを特徴とする、冷却ファン用固定フレームとしている。
請求項３の発明は、請求項１記載の冷却ファン用固定フレームにおいて、固定フレームの二側に突出するスライドレールが設けられたことを特徴とする、冷却ファン用固定フレームとしている。
請求項４の発明は、請求項１記載の冷却ファン用固定フレームにおいて、固定フレームの側板に上向きに突出する上ハンドルが設けられたことを特徴とする、冷却ファン用固定フレームとしている。
請求項５の発明は、請求項１記載の冷却ファン用固定フレームにおいて、冷却ファンの固定構造がネジ孔とされ、固定フレームの固定手段が穿孔とされ、複数のネジが穿孔を通過して対応するネジ孔に螺合されたことを特徴とする、冷却ファン用固定フレームとしている。
【発明の効果】
【０００７】
本発明の冷却ファン用固定フレームは、異なる厚さの冷却ファンを取り付けることができ、使用上の便利性が増されている。
【発明を実施するための最良の形態】
【０００８】
本発明の冷却ファン用固定フレームは冷却ファンと固定フレームを具えている。そのうち、冷却ファンは入風側面と出風側面を具え、この出風側面が入風側面と反対側に位置し、且つ出風側面と入風側面の間が環側面で連結され、入風側面と出風側面の一方に複数の固定構造が設けられている。
【０００９】
このほか、固定フレームに複数の固定手段が設けられ、且つ固定フレームは冷却ファンの入風側面と出風側面のいずれかの外側に隣接し、更に複数の固定手段が冷却ファンの対応する固定構造に固定され、これにより固定フレームが冷却ファンに固定される。
【００１０】
このほか、固定フレームの一側より前向きに側板が延伸され、該側板が冷却ファンの環側面の外部に対応しそれを被覆する。
【００１１】
以上から分かるように、固定フレームは冷却ファンの入風側面或いは出風側面のいずれかの外側に隣接するように直接固定され、且つ固定フレームの一側のみに前方に延伸されて冷却ファンの環側面外部を被覆できる側板が設けられ、これにより固定フレームが開放式の構造とされて異なる厚さの冷却ファンを取り付け可能とされ、これにより使用上の便利性が増されている。
【００１２】
上述の固定フレームの側板には少なくとも一つの貫通孔を開設可能で、且つ冷却ファンは更に電源線を具え、この電源線は前述の少なくとも一つの貫通孔を通過する。このほか、冷却ファンの複数の固定構造はネジ孔とされ得て、固定フレームの複数の固定手段は穿孔とされ得て、複数のネジが穿孔に通されて対応するネジ孔に螺合される。
【実施例１】
【００１３】
図２は本発明の立体分解図、図３は本発明の固定フレームの別角度から観た立体図である。本発明は相互に固定結合される冷却ファン１と固定フレーム２を具えている。
【００１４】
図に示されるように、冷却ファン１は入風側面１１と出風側面１２を具え、この出風側面１２は入風側面１１と反対側に位置し、出風側面１２と入風側面１１の間が環側面１３で連結され、出風側面１２の四つの角部にそれぞれ固定構造１２１が設けられ、この固定構造１２１は本実施例ではネジ孔とされている。このほか、冷却ファン１には外向きに延伸された電源線１４が設けられている。
【００１５】
このほか、図示されるように固定フレーム２の四つの角部にそれぞれ固定手段２１１が設けられ、この固定手段２１１は本実施例では穿孔とされ、固定フレーム２は冷却ファン１の出風側面１２の外側に対応並びに隣接し、その四つの角部の固定手段２１１が冷却ファン１の四つの角部の固定構造１２１に対応し、並びに四つのネジ３が固定手段２１１の穿孔を通り対応する固定構造１２１のネジ孔に螺合され、これにより固定フレーム２が冷却ファン１に固定される。
【００１６】
このほか、上述の固定フレーム２の一側より前向きに側板２２が延伸され、この側板２２に二つの貫通孔２２１が開設され、固定フレーム２と冷却ファン１が相互に組み合わされた後、固定フレーム２の側板２２が冷却ファン１の環側面１３外部に対応してそれを被覆し、冷却ファン１の電源線１４が側板２２のそのうちの一つの貫通孔２２１を通り外に延伸される。
【００１７】
図２、図３、及び図４を参照されたい。図４は本発明の実施状態表示図である。
そのうち、上述の固定フレーム２の二側には外向きに突出するスライドレール２３が設けられ、且つ固定フレーム２の側板２２に上向きに突出する上ハンドル２２２が設けられ、固定フレーム２と冷却ファン１が相互に組み合わされた後、手で上ハンドル２２２を握持して固定フレーム２と冷却ファン１をスライドレール２３によりブラケット４に組み付けることができる。
【００１８】
上述の固定フレーム２は冷却ファン１の出風側面１２の外側に対応し並びに隣接するよう固定され、且つ固定フレーム２は一側のみに前向きに延伸されて冷却ファン１の環側面１３外部を被覆する側板２２が設けられている。これにより、固定フレーム２は開放式構造を形成し、異なる厚さの冷却ファンを取り付けることができ、図４には異なる厚さの冷却ファン１、１０１、１０２が取り付けられる状態が示されている。更に異なる厚さの各冷却ファン１、１０１、１０２は異なる造形を具備するものとされ得て、例えば四角形の冷却ファン１０１、円形の冷却ファン１、１０２とされ得て、いずれも上述の開放式構造の固定フレーム２に固定可能であり、ゆえに本発明使用上の便利性が増されている。
【００１９】
以上の実施例は本発明の範囲を限定するものではなく、本発明に基づきなしうる細部の修飾或いは改変は、いずれも本発明の請求範囲に属するものとする。
【図面の簡単な説明】
【００２０】
【図１】周知の冷却ファンと固定フレームの立体図である。
【図２】本発明の立体分解図である。
【図３】本発明の固定フレームの別角度から観た立体図である。
【図４】本発明の実施状態表示図である。
【符号の説明】
【００２１】
１  冷却ファン          １０１  冷却ファン        １０２  冷却ファン
１１  入風側面          １２  出風側面            １２１  固定構造
１３  環側面            １４  電源線              ２  固定フレーム
２１１  固定手段        ２２  側板                ２２１  貫通孔
２２２  上ハンドル      ２３  スライドレール      ３  ネジ
４  ブラケット          ９１  固定フレーム        ９１１  側面
９１２  収容エリア      ９２  冷却ファン
【図１】
2005299630.tif 000003
【図２】
2005299630.tif 000004
【図３】
2005299630.tif 000005
【図４】
2005299630.tif 000006